(57)【要約】【課題】シート表面からの磁気の発生が望ましくない場合や不必要な場合には磁気の発生を抑制する。【解決手段】刺激付与装置１０では、刺激付与部材２２に複数の磁束通路部３６Ａ，３６Ｂが備えられており、この磁束通路部３６Ａ，３６Ｂに形成された収容部３８には、回動磁石３２が回動可能に収容されている。そして、Ｎ極３２Ａが磁束通路部３６Ａと対向しＳ極３２Ｂが磁束通路部３６Ｂと対向する位置に回動磁石３２が回動されたときには、着座者Ｐに対して刺激付与部材２２から磁気Ｍが付与される。一方、Ｎ極３２ＡとＳ極３２Ｂとが一対の磁束通路部３６Ａ，３６Ｂを跨ぐ位置に回動磁石３２が回動されたときには、シート表面からの磁気Ｍの発生（つまり磁気Ｍの漏洩）が抑制される。【選択図】図２
2009248719.tif 000002
【特許請求の範囲】
【請求項１】
車両用シートを構成するシートバック及びシートクッションの少なくとも一方の着座者側に配置されるシート表皮材と、
前記シート表皮材の少なくとも延在方向に並んで配置された複数の強磁性体からなる磁束通路部を有すると共に、前記シート表皮材に対する前記着座者側と反対側に配置され、且つ、前記着座者と接離方向に移動可能とされた刺激付与部材と、
前記刺激付与部材を前記着座者側に押圧するための押圧手段と、
前記刺激付与部材と一体移動可能とされると共に前記複数の磁束通路部に隣接した位置に回動可能に設けられ、且つ、回動方向に異なる磁極が交互に並んだ構成とされて、前記異なる磁極間の磁束が前記複数の磁束通路部のうち異なる磁束通路部を介して前記シート表皮材に対する前記着座者側を通過する磁気放出位置と、前記異なる磁極間の磁束が前記複数の磁束通路部のうち単一の磁束通路部を通過する磁気放出抑制位置と、に切替可能な回動磁石と、
前記回動磁石を回動させて前記磁気放出位置と前記磁気放出抑制位置とに切り替えるための切替手段と、
を備えたことを特徴とする刺激付与装置。
【請求項２】
前記押圧手段は、
前記刺激付与部材に一体移動可能に設けられた第一磁石体と、
前記第一磁石体に対する前記着座者側と反対側に前記第一磁石体と前記刺激付与部材の接離方向に対向して配置され、前記第一磁石体に対して前記着座者側に反発力を作用させる第二磁石体と、
を有して構成されている、
ことを特徴とする請求項１に記載の刺激付与装置。
【請求項３】
前記第一磁石体は、永久磁石により構成され、
前記第一磁石体を内部に収容し且つ前記第二磁石体側に開口を有する有底筒状の強磁性体により構成されたカバー部材を備えた、
ことを特徴とする請求項２に記載の刺激付与装置。
【請求項４】
前記刺激付与部材と前記押圧手段との間には、前記押圧手段に対する前記刺激付与部材の取付姿勢を変更可能とするヒンジ手段が介在されている、
ことを特徴とする請求項１〜請求項３のいずれか一項に記載の刺激付与装置。
【請求項５】
前記刺激付与部材と前記押圧手段との間には、前記押圧手段に対する前記刺激付与部材の取付姿勢を変更可能とするヒンジ手段が介在され、
前記押圧手段は、
前記刺激付与部材に一体移動可能に設けられ、前記回動磁石が前記磁気放出位置にあるときに前記複数の磁束通路部の少なくとも一つと反発し前記複数の磁束通路部の残余の少なくとも一つと吸引する第一磁石体と、
前記第一磁石体と前記刺激付与部材の接離方向に対向して配置され、前記第一磁石体に対して前記着座者側に反発力を作用させる第二磁石体と、
を有して構成されている、
ことを特徴とする請求項１に記載の刺激付与装置。
【請求項６】
前記押圧手段は、前記刺激付与部材を前記シート表皮材の面直方向に押圧する構成とされ、
前記複数の磁束通路部は、前記シート表皮材の延在方向に対して傾斜する境界部によって区画されている、
ことを特徴とする請求項１〜請求項５のいずれか一項に記載の刺激付与装置。
【請求項７】
前記刺激付与部材には、前記着座者側に向けて突出する突起部が形成されている、
ことを特徴とする請求項１〜請求項６のいずれか一項に記載の刺激付与装置。
【請求項８】
前記回動磁石は、前記異なる磁極が回動方向に少なくとも四つ並んだ構成とされ、
前記押圧手段は、前記刺激付与部材に対する前記着座者側と反対側に前記刺激付与部材と前記刺激付与部材の接離方向に対向して配置されると共に、前記回動磁石が前記磁気放出位置にあるときに前記複数の磁束通路部と反発し前記回動磁石が前記磁気放出抑制位置にあるときに前記複数の磁束通路部と吸引する磁石体とされている、
ことを特徴とする請求項１に記載の刺激付与装置。
【請求項９】
前記磁石体に対して前記刺激付与部材を接離可能に支持する支持手段を備えた、
ことを特徴とする請求項８に記載の刺激付与装置。
【請求項１０】
前記磁石体は、永久磁石により構成され、
前記磁石体を内部に収容し且つ前記刺激付与部材側に開口を有する有底筒状の強磁性体により構成された収容部材を備えた、
ことを特徴とする請求項８又は請求項９に記載の刺激付与装置。
【請求項１１】
請求項１〜請求項１０のいずれか一項に記載の刺激付与装置を一体に備えたことを特徴とする車両用シート。
【発明の詳細な説明】
【技術分野】
【０００１】
本発明は、刺激付与装置及び車両用シートに係り、特に車両用シートの着座者に対して磁気及び押圧力を刺激として付与する刺激付与装置及び車両用シートに関する。
【背景技術】
【０００２】
従来、車両用シートの着座者に対して磁気を刺激として付与する刺激付与装置としては、次のものが知られている（例えば、特許文献１参照）。例えば、特許文献１には、磁気治療機能付きシートカバーの例が開示されている。この特許文献１に記載の例において、シートカバーは、複数の磁石体が裏面に装着された構成とされている。
【特許文献１】特開２００２−６５４１２号公報
【特許文献２】特開２００４−１０５６６９号公報
【特許文献３】実開昭６２−１３９７２８号公報
【発明の開示】
【発明が解決しようとする課題】
【０００３】
しかしながら、特許文献１に記載の例では、シートカバーの表面に磁石体からの磁気が常に発生した状態となっている。このため、例えば、磁気を必要としない着座者に対して磁気を付与してしまったり、シートカバーの表面に金属等の不要物が付着したりする虞がある。従って、シート表面からの磁気の発生が望ましくない場合や不必要な場合には磁気の発生を抑制できることが望まれる。
【０００４】
本発明は、上記事情に鑑みてなされたものであって、その目的は、シート表面からの磁気の発生が望ましくない場合や不必要な場合には磁気の発生を抑制することができる刺激付与装置及び車両用シートを提供することにある。
【課題を解決するための手段】
【０００５】
前記課題を解決するために、請求項１に記載の刺激付与装置は、車両用シートを構成するシートバック及びシートクッションの少なくとも一方の着座者側に配置されるシート表皮材と、前記シート表皮材の少なくとも延在方向に並んで配置された複数の強磁性体からなる磁束通路部を有すると共に、前記シート表皮材に対する前記着座者側と反対側に配置され、且つ、前記着座者と接離方向に移動可能とされた刺激付与部材と、前記刺激付与部材を前記着座者側に押圧するための押圧手段と、前記刺激付与部材と一体移動可能とされると共に前記複数の磁束通路部に隣接した位置に回動可能に設けられ、且つ、回動方向に異なる磁極が交互に並んだ構成とされて、前記異なる磁極間の磁束が前記複数の磁束通路部のうち異なる磁束通路部を介して前記シート表皮材に対する前記着座者側を通過する磁気放出位置と、前記異なる磁極間の磁束が前記複数の磁束通路部のうち単一の磁束通路部を通過する磁気放出抑制位置と、に切替可能な回動磁石と、前記回動磁石を回動させて前記磁気放出位置と前記磁気放出抑制位置とに切り替えるための切替手段と、を備えたことを特徴とする。
【０００６】
請求項１に記載の刺激付与装置では、切替手段によって回動磁石が磁気放出位置に回動されたときには、回動磁石における異なる磁極間の磁束が複数の磁束通路部のうち異なる磁束通路部を介してシート表皮材に対する着座者側を通過する。また、このときには、押圧手段によって刺激付与部材が着座者側に押圧される。従って、着座者に対して刺激付与部材から磁気及び押圧力が付与され、着座者に対してマッサージ効果が提供される。
【０００７】
一方、切替手段によって回動磁石が磁気放出抑制位置に回動されたときには、回動磁石における異なる磁極間の磁束が複数の磁束通路部のうち単一の磁束通路部を通過する。従って、シート表面からの磁気の発生（つまり磁気の漏洩）が抑制される。
【０００８】
このように、請求項１に記載の刺激付与装置によれば、シート表面からの磁気の発生が望ましくない場合や不必要な場合には、切替手段によって回動磁石を磁気放出抑制位置に回動させることで、シート表面からの磁気の発生を抑制することができる。
【０００９】
請求項２に記載の刺激付与装置は、請求項１に記載の刺激付与装置において、前記押圧手段は、前記刺激付与部材に一体移動可能に設けられた第一磁石体と、前記第一磁石体に対する前記着座者側と反対側に前記第一磁石体と前記刺激付与部材の接離方向に対向して配置され、前記第一磁石体に対して前記着座者側に反発力を作用させる第二磁石体と、を有して構成されている、ことを特徴とする。
【００１０】
請求項２に記載の刺激付与装置によれば、第一磁石体と第二磁石体との反発力によって、刺激付与部材に対して着座者側に押圧力を付与することができる。
【００１１】
また、刺激付与部材に対して着座者から繰り返し荷重が作用した場合でも、押圧手段として第一磁石体及び第二磁石体が用いられているので、例えばバネ等の弾性部材が用いられた場合に比して、刺激付与部材への押圧力の低下を抑制することができ、耐久性を向上することができる。
【００１２】
請求項３に記載の刺激付与装置は、請求項２に記載の刺激付与装置において、前記第一磁石体は、永久磁石により構成され、前記第一磁石体を内部に収容し且つ前記第二磁石体側に開口を有する有底筒状の強磁性体により構成されたカバー部材を備えた、ことを特徴とする。
【００１３】
請求項３に記載の刺激付与装置によれば、永久磁石からなる第一磁石体が強磁性体からなるカバー部材に収容されているので、第一磁石体の磁束がカバー部材内を通過する。これにより、第一磁石体から第二磁石体への磁気が増加されて第一磁石体と第二磁石体との反発力を増加させることができると共に、第一磁石体から車両用シートの外方への磁気の漏洩を抑制することができる。
【００１４】
請求項４に記載の刺激付与装置は、請求項１〜請求項３のいずれか一項に記載の刺激付与装置において、前記刺激付与部材と前記押圧手段との間には、前記押圧手段に対する前記刺激付与部材の取付姿勢を変更可能とするヒンジ手段が介在されている、ことを特徴とする。
【００１５】
請求項４に記載の刺激付与装置によれば、押圧手段に対する刺激付与部材の取付姿勢を変更することができ、これにより、着座者への磁気の付与方向を変更することができる。
【００１６】
請求項５に記載の刺激付与装置は、請求項１に記載の刺激付与装置において、前記刺激付与部材と前記押圧手段との間には、前記押圧手段に対する前記刺激付与部材の取付姿勢を変更可能とするヒンジ手段が介在され、前記押圧手段は、前記刺激付与部材に一体移動可能に設けられ、前記回動磁石が前記磁気放出位置にあるときに前記複数の磁束通路部の少なくとも一つと反発し前記複数の磁束通路部の残余の少なくとも一つと吸引する第一磁石体と、前記第一磁石体と前記刺激付与部材の接離方向に対向して配置され、前記第一磁石体に対して前記着座者側に反発力を作用させる第二磁石体と、を有して構成されている、ことを特徴とする。
【００１７】
請求項５に記載の刺激付与装置によれば、第一磁石体と第二磁石体との反発力によって、刺激付与部材に対して着座者側に押圧力を付与することができる。
【００１８】
また、刺激付与部材に対して着座者から繰り返し荷重が作用した場合でも、押圧手段として第一磁石体及び第二磁石体が用いられているので、例えばバネ等の弾性部材が用いられた場合に比して、刺激付与部材への押圧力の低下を抑制することができ、耐久性を向上させることができる。
【００１９】
さらに、切替手段によって回動磁石を磁気放出位置に回動させたときには、複数の磁束通路部の少なくとも一つと第一磁石体が反発し、複数の磁束通路部の残余の少なくとも一つと第一磁石体が吸引する。これにより、押圧手段に対する刺激付与部材の取付姿勢が変更され、着座者への磁気の付与方向を変更することができる。
【００２０】
請求項６に記載の刺激付与装置は、請求項１〜請求項５のいずれか一項に記載の刺激付与装置において、前記押圧手段は、前記刺激付与部材を前記シート表皮材の面直方向に押圧する構成とされ、前記複数の磁束通路部は、前記シート表皮材の延在方向に対して傾斜する境界部によって区画されている、ことを特徴とする。
【００２１】
請求項６に記載の刺激付与装置によれば、境界部の傾きを変更することで、刺激付与部材による着座者への押圧力の付与方向に対して刺激付与部材から着座者への磁気の付与方向を異ならせることができる。これにより、車両用シートの形状に合わせて押圧力の付与方向と磁気の付与方向とを自在に設定することができ、刺激付与部材の配置位置の設定の自由度も向上させることができる。
【００２２】
請求項７に記載の刺激付与装置は、請求項１〜請求項６のいずれか一項に記載の刺激付与装置において、前記刺激付与部材には、前記着座者側に向けて突出する突起部が形成されている、ことを特徴とする。
【００２３】
請求項７に記載の刺激付与装置によれば、着座者の背中に突起部によって局所的に押圧力を付与することができ、着座者へのツボ押し効果を増加させることができる。
【００２４】
請求項８に記載の刺激付与装置は、請求項１に記載の刺激付与装置において、前記回動磁石は、前記異なる磁極が回動方向に少なくとも四つ並んだ構成とされ、前記押圧手段は、前記刺激付与部材に対する前記着座者側と反対側に前記刺激付与部材と前記刺激付与部材の接離方向に対向して配置されると共に、前記回動磁石が前記磁気放出位置にあるときに前記複数の磁束通路部と反発し前記回動磁石が前記磁気放出抑制位置にあるときに前記複数の磁束通路部と吸引する磁石体とされている、ことを特徴とする。
【００２５】
請求項８に記載の刺激付与装置によれば、切替手段によって回動磁石を磁気放出位置に回動させることにより、着座者に対して刺激付与部材から磁気を付与することができると共に、複数の磁束通路部と磁石体とが反発することで着座者に対して刺激付与部材から押圧力を付与することができる。
【００２６】
また、切替手段によって回動磁石を磁気放出抑制位置に回動させることにより、シート表面からの磁気の発生（つまり磁気の漏洩）を抑制することができると共に、複数の磁束通路部と磁石体とが吸引することで着座者に対する刺激付与部材からの押圧力の付与を抑制することができる。
【００２７】
また、請求項８に記載の刺激付与装置によれば、押圧手段として磁石体を用いれば足りるので、例えば押圧手段として第一磁石体及び第二磁石体を用いる場合に比して構成を簡素化することができる。
【００２８】
請求項９に記載の刺激付与装置は、請求項８に記載の刺激付与装置において、前記磁石体に対して前記刺激付与部材を接離可能に支持する支持手段を備えた、ことを特徴とする。
【００２９】
請求項９に記載の刺激付与装置によれば、支持手段によって刺激付与部材を磁石体に対して接離可能に支持することができる。
【００３０】
請求項１０に記載の刺激付与装置は、請求項８又は請求項９に記載の刺激付与装置において、前記磁石体は、永久磁石により構成され、前記磁石体を内部に収容し且つ前記刺激付与部材側に開口を有する有底筒状の強磁性体により構成された収容部材を備えた、ことを特徴とする。
【００３１】
請求項１０に記載の刺激付与装置によれば、永久磁石からなる磁石体が強磁性体からなる収容部材に収容されているので、磁石体の磁束が収容部材内を通過する。これにより、磁石体から複数の磁束通路部への磁気が増加されて磁石体と複数の磁束通路部との反発力を増加させることができると共に、磁石体から車両用シートの外方への磁気の漏洩を抑制することができる。
【００３２】
また、前記課題を解決するために、請求項１１に記載の車両用シートは、請求項１〜請求項１０のいずれか一項に記載の刺激付与装置を一体に備えたことを特徴とする。
【００３３】
請求項１１に記載の車両用シートによれば、請求項１〜請求項１０のいずれか一項に記載の刺激付与装置を一体に備えているので、シート表面からの磁気の発生が望ましくない場合や不必要な場合には磁気の発生を抑制することができる。
【発明の効果】
【００３４】
以上詳述したように、本発明によれば、シート表面からの磁気の発生が望ましくない場合や不必要な場合には、切替手段によって回動磁石を磁気放出抑制位置に回動させることで、シート表面からの磁気の発生を抑制することができる。
【発明を実施するための最良の形態】
【００３５】
はじめに、本発明の一実施形態について説明する。
【００３６】
図１には、本発明の一実施形態に係る刺激付与装置１０が一体に備えられた車両用シート１２が斜視図にて示されており、図２には、この車両用シート１２における刺激付与装置１０が設けられた部分が側面断面図にて示されている。
【００３７】
なお、これらの図及び以下に説明する図において示される矢印ＵＰ、矢印ＯＵＴ、矢印ＦＲは、この車両用シート１２が備えられた車両の車両上下方向上側、車両幅方向外側、車両前後方向前側をそれぞれ示している。
【００３８】
図１に示される車両用シート１２は、例えば、乗用自動車等の車両の前席等として用いられるものであり、シートクッション１４及びシートバック１６を備えて構成されている。シートバック１６には、刺激付与装置１０が一体に設けられており、この刺激付与装置１０は、例えば着座者の肩部及び腰部を支持する部位（例えば、着座者のツボの位置する部位）に埋設された複数の刺激付与ユニット１８を有して構成されている。
【００３９】
なお、本実施形態では、刺激付与装置１０がシートバック１６に一体に設けられており、このシートバック１６の着座者側に配置されたシート表皮材２０及び複数の刺激付与ユニット１８により刺激付与装置１０が構成されている。
【００４０】
各刺激付与ユニット１８は、図２に示されるように、刺激付与部材２２と、押圧手段としての第一磁石体２４及び第二磁石体２６と、カバー部材２８と、スペーサ３０と、回動磁石３２と、を有して構成されている。
【００４１】
刺激付与部材２２は、着座者Ｐに対して磁気Ｍ及び押圧力Ｆを刺激として付与するためのものであり、シート表皮材２０に対する着座者Ｐ側と反対側に配置されている。この刺激付与部材２２は、クッション材３４によって着座者Ｐと接離方向に移動可能に支持されており、一対の強磁性体（例えば、鉄など）からなる磁束通路部３６Ａ，３６Ｂを有して構成されている。
【００４２】
一対の磁束通路部３６Ａ，３６Ｂは、シート表皮材２０の延在方向（つまり、シートバック１６の高さ方向）に並んで配置されている。この一対の磁束通路部３６Ａ，３６Ｂには、後述する回動磁石３２を収容するための収容部３８が形成されており、また、この一対の磁束通路部３６Ａ，３６Ｂの間には、これらを区画するための非磁性体からなる境界部４０が設けられている。
【００４３】
第一磁石体２４及び第二磁石体２６は、刺激付与部材２２を着座者Ｐ側に押圧する（より具体的には、刺激付与部材２２をシート表皮材２０の面直方向に押圧する）ためのものであり、それぞれ永久磁石により構成されている。第一磁石体２４は、後述するカバー部材２８及びスペーサ３０を介して刺激付与部材２２に一体移動可能に設けられている。
【００４４】
一方、第二磁石体２６は、第一磁石体２４に対する着座者Ｐ側と反対側に第一磁石体２４と刺激付与部材２２の接離方向に対向して配置されており、且つ、シートフレーム４２に一体に固定されている。
【００４５】
また、この第一磁石体２４及び第二磁石体２６は、同一極同士（例えば、Ｓ極同士）が向かい合う構成とされている。つまり、第一磁石体２４は、着座者Ｐ側にＮ極２４Ａを有すると共に着座者Ｐ側と反対側にＳ極２４Ｂを有する構成とされており、第二磁石体２６は、着座者Ｐ側と反対側にＮ極２６Ａを有すると共に着座者Ｐ側にＳ極２６Ｂを有する構成とされている。
【００４６】
カバー部材２８は、その内部に第一磁石体２４を収容し且つ第二磁石体２６側に開口４４を有する有底筒状に形成されており、強磁性体により構成されている。このカバー部材２８は、スペーサ３０を介して刺激付与部材２２に一体移動可能に設けられている。
【００４７】
回動磁石３２は、シートバック１６の幅方向に長手状の円柱体により構成されており、シートバック１６の幅方向に延びる回動軸４６に一体回動可能に固定されている。また、この回動磁石３２は、回動方向にＮ極３２ＡとＳ極３２Ｂが並んだ構成とされると共に、上述の収容部３８に回動可能に収容され、且つ、刺激付与部材２２と一体移動可能とされている。
【００４８】
また、図３には、本発明の一実施形態に係る刺激付与装置１０に備えられた切替手段としての切替機構４８が示されている。切替機構４８は、各刺激付与ユニット１８の回動磁石３２を回動させるためのものであり、一対のクランクレバー５０，５２と、連結ロッド５４と、切替レバー５６と、を有して構成されている。
【００４９】
一方のクランクレバー５０は、その一端部がシートバック１６の高さ方向上側に配置された回動軸４６Ａに一体回動可能に固定されており、その他端部が連結ロッド５４の長手方向一端部に相対回動可能に連結されている。他方のクランクレバー５０は、その一端部がシートバック１６の高さ方向下側に配置された回動軸４６Ｂに一体回動可能に固定されており、その他端部が連結ロッド５４の長手方向他端部に相対回動可能に連結されている。
【００５０】
切替レバー５６は、その基端部がシートバック１６の高さ方向下側に配置された回動軸４６Ｂに一体回動可能に固定されており、且つ、図１に示されるように、車両用シート１２の側部に設けられている。
【００５１】
なお、シートバック１６の高さ方向上側でシートバック１６の幅方向に隣り合う刺激付与ユニット１８Ａ，１８Ｃの回動磁石３２は、回動軸４６Ａによって一体回動可能とされており、シートバック１６の高さ方向下側でシートバック１６の幅方向に隣り合う刺激付与ユニット１８Ｂ，１８Ｄの回動磁石３２は、回動軸４６Ｂによって一体回動可能とされている。
【００５２】
そして、この刺激付与装置１０では、着座者Ｐによって切替レバー５６が回動されると、一対のクランクレバー５０，５２及び連結ロッド５４の作動を伴って各刺激付与ユニット１８の回動磁石３２が回動される構成とされている。
【００５３】
さらに、各刺激付与ユニット１８では、図２（Ａ）に示されるように、Ｎ極３２Ａが磁束通路部３６Ａと対向しＳ極３２Ｂが磁束通路部３６Ｂと対向する位置（換言すれば、シートバック１６の高さ方向にＮ極３２ＡとＳ極３２Ｂが並ぶ位置）に回動磁石３２が回動されたときには、Ｎ極３２ＡとＳ極３２Ｂ間の磁束Ｍ０が一対の磁束通路部３６Ａ，３６Ｂを介して（つまり、磁束Ｍ０が異なる磁束通路部３６Ａ，３６Ｂを介して）シート表皮材２０に対する着座者Ｐ側を通過する構成とされている。
【００５４】
また、各刺激付与ユニット１８では、図２（Ｂ）に示されるように、Ｎ極３２ＡとＳ極３２Ｂとが一対の磁束通路部３６Ａ，３６Ｂを跨ぐ位置（換言すれば、シートバック１６の厚さ方向にＮ極３２ＡとＳ極３２Ｂが並ぶ位置）に回動磁石３２が回動されたときには、Ｎ極３２ＡとＳ極３２Ｂ間の磁束Ｍ０１，Ｍ０２が単一の磁束通路部３６Ａ，３６Ｂを通過（つまり、磁束Ｍ０１は磁束通路部３６Ａを通過し、磁束Ｍ０２は磁束通路部３６Ｂを通過）する構成とされている。
【００５５】
なお、図２（Ａ）に示されるように、Ｎ極３２Ａが磁束通路部３６Ａと対向しＳ極３２Ｂが磁束通路部３６Ｂと対向するように回動された回動磁石３２の位置が本発明における磁気放出位置に相当し、図２（Ｂ）に示されるように、Ｎ極３２ＡとＳ極３２Ｂとが一対の磁束通路部３６Ａ，３６Ｂを跨ぐように回動された回動磁石３２の位置が本発明における磁気放出抑制位置に相当する。
【００５６】
そして、上記構成からなる刺激付与装置１０を一体に備えた車両用シート１２によれば、以下の特有な効果を奏する。
【００５７】
すなわち、本発明の一実施形態に係る車両用シート１２では、着座者Ｐによって切替レバー５６が回動されて、図２（Ａ）に示されるように、Ｎ極３２Ａが磁束通路部３６Ａと対向しＳ極３２Ｂが磁束通路部３６Ｂと対向する位置に回動磁石３２が回動されたときには、Ｎ極３２ＡとＳ極３２Ｂ間の磁束Ｍ０が一対の磁束通路部３６Ａ，３６Ｂを介して（つまり、磁束Ｍ０１が異なる磁束通路部３６Ａ，３６Ｂを介して）シート表皮材２０に対する着座者Ｐ側を通過する。また、このときには、第一磁石体２４及び第二磁石体２６によって刺激付与部材２２が着座者Ｐ側に押圧される。従って、着座者Ｐに対して刺激付与部材２２から磁気Ｍ及び押圧力Ｆが付与され、着座者Ｐに対してマッサージ効果が提供される。
【００５８】
しかも、第一磁石体２４及び第二磁石体２６によって刺激付与部材２２が着座者Ｐ側に押圧されることで、刺激付与部材２２が着座者Ｐに近接され、これにより、刺激付与部材２２から着座者Ｐへの磁力が増加される。
【００５９】
一方、着座者Ｐによって切替レバー５６が回動されて、図２（Ｂ）に示されるように、Ｎ極３２ＡとＳ極３２Ｂとが一対の磁束通路部３６Ａ，３６Ｂを跨ぐ位置に回動磁石３２が回動されたときには、Ｎ極３２ＡとＳ極３２Ｂ間の磁束Ｍ０１，Ｍ０２が単一の磁束通路部３６Ａ，３６Ｂを通過（つまり、磁束Ｍ０１は磁束通路部３６Ａを通過し、磁束Ｍ０２は磁束通路部３６Ｂを通過）する。従って、シート表面からの磁気Ｍの発生（つまり磁気Ｍの漏洩）が抑制される。
【００６０】
このように、本発明の一実施形態に係る車両用シート１２によれば、シート表面からの磁気Ｍの発生が望ましくない場合や不必要な場合には、切替レバー５６を回動させて、回動磁石３２を図２（Ｂ）に示されるように回動させることで、シート表面からの磁気Ｍの発生を抑制することができる。
【００６１】
これにより、例えば、着座者Ｐが磁気カード等の磁気に弱いものを所持している場合や、着座者Ｐがペースメーカを装着しているなど磁気に対して禁忌症状がある場合にもかかわらず、着座者Ｐに対して磁気Ｍを付与してしまうことを抑制することができる。また、例えば駐車中などのように車両用シート１２を使用していない間に、シート表皮材２０に不要物（例えば、金属ピン、砂鉄類、クリップなどの金属）が付着してしまうことを抑制することができる。
【００６２】
また、本発明の一実施形態に係る車両用シート１２によれば、永久磁石からなる第一磁石体２４が強磁性体からなるカバー部材２８に収容されているので、第一磁石体２４の磁束Ｍ１がカバー部材２８内を通過する（なお、符合Ｍ２は第二磁石体２６の磁束である）。これにより、第一磁石体２４から第二磁石体２６への磁気が増加されて第一磁石体２４と第二磁石体２６との反発力を増加させることができると共に、第一磁石体２４から車両用シート１２の外方への磁気の漏洩を抑制することができる。
【００６３】
また、本発明の一実施形態に係る車両用シート１２によれば、刺激付与部材２２に対して着座者Ｐから繰り返し荷重が作用した場合でも、刺激付与部材２２を着座者Ｐ側に押圧する部材として第一磁石体２４及び第二磁石体２６が用いられているので、例えばバネ等の弾性部材が用いられた場合に比して、刺激付与部材２２への押圧力の低下を抑制することができ、耐久性を向上することができる。
【００６４】
以上、本発明の一実施形態について説明したが、本発明は、上記に限定されるものでなく、その主旨を逸脱しない範囲内において種々変形して実施することが可能であることは勿論である。
【００６５】
例えば、上記実施形態において、刺激付与装置１０は、シートバック１６に一体に設けられていたが、シートクッション１４に一体に設けられていても良い。また、刺激付与装置１０は、シートクッション１４及びシートバック１６の両方に一体に設けられていても良い。
【００６６】
また、刺激付与装置１０がシートクッション１４に設けられる場合に、刺激付与ユニット１８は、シートクッション１４における着座者の例えば大腿部及び臀部を支持する部位にそれぞれ埋設されていても良い。
【００６７】
また、上記実施形態では、第一磁石体２４及び第二磁石体２６によって刺激付与部材２２が着座者Ｐ側に押圧される構成とされていたが、例えばバネや弾性ゴム等の弾性部材によって刺激付与部材２２が着座者Ｐ側に押圧される構成とされていても良い。
【００６８】
また、上記実施形態において、切替機構４８は、一対のクランクレバー５０，５２と、連結ロッド５４と、切替レバー５６とを有し、手動により回動磁石３２を回動させる構成とされていたが、例えば、モータ、減速機構、切替操作スイッチ等を有し、電動により回動磁石３２を回動させる構成とされていても良い。また、切替機構４８は、ターンオーバスプリング等の切替操作時の操作力低減構造を備えた構成とされていても良い。
【００６９】
また、上記実施形態において、各刺激付与ユニット１８は、車両用シート１２の平面視（すなわち、シートバック１６の高さ方向上側から見た場合）において図２にて示される構成とされていても良い。
【００７０】
また、上記実施形態では、第一磁石体２４が、着座者Ｐ側にＮ極２４Ａを有すると共に着座者Ｐ側と反対側にＳ極２４Ｂを有する構成とされ、第二磁石体２６が、着座者Ｐ側と反対側にＮ極２６Ａを有すると共に着座者Ｐ側にＳ極２６Ｂを有する構成とされていたが、第一磁石体２４及び第二磁石体２６は、次のように構成されていても良い。
【００７１】
すなわち、図４に示される変形例のように、第一磁石体２４及び第二磁石体２６は、円周方向にＮ極とＳ極を交互に複数有する構成とされ、且つ、同一極同士（Ｎ極同士、Ｓ極同士）が向かい合うように配置されていても良い。また、この場合に、第一磁石体２４に対する第二磁石体２６の円周方向への相対変位を防止しつつ第一磁石体２４を第二磁石体２６に対してスライド可能に支持するスライド機構５８が第一磁石体２４及び第二磁石体２６に設けられていても良い。
【００７２】
また、本発明の一実施形態に係る刺激付与装置１０は、次のように構成されていても良い。
【００７３】
すなわち、図５に示される変形例では、上述の本発明の一実施形態に係る刺激付与装置１０に対して、スペーサ３０の代わりにヒンジ手段としてのヒンジ部材６０が備えられている。ヒンジ部材６０は、例えば、バネ、弾性ゴム等の伸縮部材や自在継手等により構成され、第一磁石体２４及び第二磁石体２６に対する刺激付与部材２２の取付姿勢（シートバック１６の高さ方向の向き）を変更可能としている。
【００７４】
そして、この変形例では、図５（Ａ）に示されるように、Ｎ極３２Ａが磁束通路部３６Ａと対向しＳ極３２Ｂが磁束通路部３６Ｂと対向する位置に回動磁石３２が回動されたときには、磁束通路部３６Ａと第一磁石体２４が反発し、磁束通路部３６Ｂと第一磁石体２４が吸引する。これにより、第一磁石体２４及び第二磁石体２６に対する刺激付与部材２２の取付姿勢がシートバック１６の高さ方向下側に変更され、着座者Ｐへの磁気Ｍの付与方向がシートバック１６の高さ方向下側に変更される。
【００７５】
一方、図５（Ｂ）に示されるように、Ｎ極３２Ａが磁束通路部３６Ｂと対向しＳ極３２Ｂが磁束通路部３６Ａと対向する位置に回動磁石３２が回動されたときには、磁束通路部３６Ａと第一磁石体２４が吸引し、磁束通路部３６Ｂと第一磁石体２４が反発する。これにより、第一磁石体２４及び第二磁石体２６に対する刺激付与部材２２の取付姿勢がシートバック１６の高さ方向上側に変更され、着座者Ｐへの磁気Ｍの付与方向がシートバック１６の高さ方向上側に変更される。
【００７６】
また、図５（Ｃ）に示されるように、Ｎ極３２ＡとＳ極３２Ｂとが一対の磁束通路部３６Ａ，３６Ｂを跨ぐ位置に回動磁石３２が回動されたときには、Ｎ極３２ＡとＳ極３２Ｂ間の磁束Ｍ０１，Ｍ０２が単一の磁束通路部３６Ａ，３６Ｂを通過（つまり、磁束Ｍ０１は磁束通路部３６Ａを通過し、磁束Ｍ０２は磁束通路部３６Ｂを通過）する。従って、シート表面からの磁気Ｍの発生（つまり磁気Ｍの漏洩）が抑制される。また、このときには、一対の磁束通路部３６Ａ，３６Ｂの全体が第一磁石体２４に吸引されるので、第一磁石体２４及び第二磁石体２６に対する刺激付与部材２２の取付姿勢が中立位置に調整される。
【００７７】
このように、本変形例によれば、回動磁石３２の回動位置に応じて着座者Ｐに対して磁気Ｍを付与する状態と磁気Ｍの付与を抑制する状態とに切り替えることができるだけでなく、回動磁石３２の回動位置に応じて着座者Ｐへの磁気Ｍの付与方向を変更することができる。
【００７８】
また、図６に示される変形例では、上述の本発明の一実施形態に係る刺激付与装置１０に対して、次の如く構成が変更されている。
【００７９】
すなわち、この変形例において、境界部４０は、シートバック１６の厚さ方向における着座者Ｐ側と反対側に向かうに従ってシートバック１６の高さ方向下側に向かうように、シート表皮材２０の延在方向（つまり、シートバック１６の高さ方向）に対して傾斜する構成とされている。
【００８０】
なお、この変形例では、上述の本発明の一実施形態と同様に、図６（Ａ）に示されるように、Ｎ極３２Ａが磁束通路部３６Ａと対向しＳ極３２Ｂが磁束通路部３６Ｂと対向する位置に回動磁石３２が回動されたときには、着座者Ｐに対して刺激付与部材２２から磁気Ｍが付与される。一方、図６（Ｂ）に示されるように、Ｎ極３２ＡとＳ極３２Ｂとが一対の磁束通路部３６Ａ，３６Ｂを跨ぐ位置に回動磁石３２が回動されたときには、シート表面からの磁気Ｍの発生（つまり磁気Ｍの漏洩）が抑制される。
【００８１】
この構成によれば、境界部４０の傾きを変更することで、刺激付与部材２２による着座者Ｐへの押圧力Ｆの付与方向に対して刺激付与部材２２から着座者Ｐへの磁気Ｍの付与方向を異ならせることができる。これにより、車両用シート１２の形状に合わせて押圧力Ｆの付与方向と磁気Ｍの付与方向とを自在に設定することができ、刺激付与ユニット１８の配置位置の設定の自由度も向上させることができる。
【００８２】
なお、この変形例においては、例えば、図７に示されるように、境界部４０の着座者側に着座者Ｐ側に向けて突出する突起部６２が形成されていても良い。
【００８３】
この構成によれば、着座者Ｐの背中に突起部６２によって局所的に押圧力を付与することができ、着座者Ｐへのツボ押し効果を増加させることができる。
【００８４】
また、本変形例のように、刺激付与部材２２による着座者Ｐへの押圧力Ｆの付与方向と、刺激付与部材２２から着座者Ｐへの磁気Ｍの付与方向とが異なる場合でも、刺激付与部材２２から着座者Ｐへの磁気Ｍの付与方向を突起部６２により外部から判別することができる。
【００８５】
なお、突起部６２は、境界部４０の他に例えば磁束通路部３６Ａ，３６Ｂに形成されていても良い。
【００８６】
また、図８に示される変形例では、上述の本発明の一実施形態に係る刺激付与装置１０に対して、次の如く構成が変更されている。
【００８７】
すなわち、この変形例において、刺激付与部材２２は、シート表皮材２０の延在方向及び面直方向（つまり、シートバック１６の高さ方向及び厚さ方向）に並んで配置された複数の磁束通路部３６Ａ〜３６Ｄを有する構成とされている。また、回動磁石３２は、Ｎ極３２Ａ，３２Ｃ及びＳ極３２Ｂ，３２Ｄが回動方向に交互に四つ並んだ構成とされている。
【００８８】
さらに、上述の第一磁石体２４及び第二磁石体２６の代わりに、永久磁石により構成された磁石体６４が備えられている。磁石体６４は、磁束通路部３６Ｃと対向する側にＮ極６４Ａを有すると共に磁束通路部３６Ｄと対向する側にＳ極６４Ｂを有する構成とされている。また、この磁石体６４は、収容部材６６に収容され、この収容部材６６を介してシートフレーム４２に一体に固定されている。収容部材６６は、刺激付与部材２２側に開口６８を有する有底筒状に形成されており、強磁性体により構成されている。
【００８９】
そして、この変形例では、図８（Ａ）に示されるように、Ｎ極３２Ａが磁束通路部３６Ａと対向しＳ極３２Ｂが磁束通路部３６Ｂと対向しＮ極３２Ｃが磁束通路部３６Ｃと対向しＳ極３２Ｄが磁束通路部３６Ｄと対向する位置に回動磁石３２が回動されたときには、Ｎ極３２ＡとＳ極３２Ｂ間の磁束Ｍ０が一対の磁束通路部３６Ａ，３６Ｂを介して（つまり、磁束Ｍ０が異なる磁束通路部３６Ａ，３６Ｂを介して）シート表皮材２０に対する着座者Ｐ側を通過する。また、このときには、一対の磁束通路部３６Ｃ，３６Ｄと磁石体６４とが反発することで刺激付与部材２２が着座者Ｐ側に押圧される（なお、符合Ｍ３は一対の磁束通路部３６Ｃ，３６Ｄ間の磁束、符合Ｍ４は磁石体６４の磁束である）。従って、着座者Ｐに対して刺激付与部材２２から磁気Ｍ及び押圧力Ｆが付与され、着座者Ｐに対してマッサージ効果が提供される。
【００９０】
一方、図８（Ｂ）に示されるように、Ｎ極３２Ａが一対の磁束通路部３６Ａ，３６Ｄを跨ぎＳ極３２Ｂが一対の磁束通路部３６Ａ，３６Ｂを跨ぎＮ極３２Ｃが一対の磁束通路部３６Ｂ，３６Ｃを跨ぎＳ極３２Ｄが一対の磁束通路部３６Ｃ，３６Ｄを跨ぐ位置に回動磁石３２が回動されたときには、異なる磁極間の磁束Ｍ０１〜Ｍ０４が複数の磁束通路部３６Ａ〜３６Ｄのうち単一の磁束通路部を通過（つまり、磁束Ｍ０１は磁束通路部３６Ａを通過し、磁束Ｍ０２は磁束通路部３６Ｂを通過し、磁束Ｍ０３は磁束通路部３６Ｃを通過し、磁束Ｍ０４は磁束通路部３６Ｄを通過）する。従って、シート表面からの磁気Ｍの発生（つまり磁気Ｍの漏洩）が抑制される。また、このときには、一対の磁束通路部３６Ｃ，３６Ｄが磁石体６４に吸引される（つまり、磁束Ｍ０３，Ｍ０４が強磁性体からなる一対の磁束通路部３６Ｃ，３６Ｄを通過することで、一対の磁束通路部３６Ｃ，３６Ｄは、磁気を帯びていない鉄と同様に磁石体６４に吸引される）ことで刺激付与部材２２から着座者Ｐへの押圧力Ｆの付与が抑制される。
【００９１】
このように、本変形例によれば、回動磁石３２の回動位置に応じて着座者Ｐに対して磁気Ｍを付与する状態と磁気Ｍの付与を抑制する状態とに切り替えることができるだけでなく、磁気Ｍを付与する状態と磁気Ｍの付与を抑制する状態とに連動させて着座者Ｐに対して押圧力Ｆを付与する状態と押圧力Ｆの付与を抑制する状態とに切り替えることができる。
【００９２】
また、本変形例によれば、刺激付与部材２２を着座者Ｐ側に押圧するための部材として磁石体６４を用いれば足りるので、例えば上述の本発明の一実施形態のように刺激付与部材２２を着座者Ｐ側に押圧するための部材として第一磁石体２４及び第二磁石体２６を用いる場合に比して構成を簡素化することができる。
【００９３】
また、図９に示される変形例では、上述の図８に示される変形例に対して、次の如く構成が変更されている。
【００９４】
すなわち、この変形例において、刺激付与部材２２は、シート表皮材２０の延在方向（つまり、シートバック１６の高さ方向）に並んで配置された複数の磁束通路部３６Ａ，３６Ｂを有する構成とされている。一対の磁束通路部３６Ａ，３６Ｂは、回動磁石３２に対する着座者Ｐ側に設けられている。また、この一対の磁束通路部３６Ａ，３６Ｂに対する着座者Ｐ側と反対側には、この一対の磁束通路部３６Ａ，３６Ｂとそれぞれ対向するように一対の永久磁石からなる磁石体７０，７２が設けられている。
【００９５】
磁石体７０は、磁束通路部３６Ａ側にＮ極７０Ａを有すると共に磁束通路部３６Ａと反対側にＳ極７０Ｂを有する構成とされており、磁石体７２は、磁束通路部３６Ｂと反対側にＮ極７２Ａを有すると共に磁束通路部３６Ｂ側にＳ極７２Ｂを有する構成とされている。また、一対の磁石体７０，７２の間には、非磁性体からなるスペーサ７４が設けられている。
【００９６】
そして、この変形例では、図９（Ａ）に示されるように、Ｎ極３２Ａが磁束通路部３６Ａと対向しＳ極３２Ｂが磁束通路部３６Ｂと対向する位置に回動磁石３２が回動されたときには、Ｎ極３２ＡとＳ極３２Ｂ間の磁束Ｍ０が一対の磁束通路部３６Ａ，３６Ｂを介して（つまり、磁束Ｍ０が異なる磁束通路部３６Ａ，３６Ｂを介して）シート表皮材２０に対する着座者Ｐ側を通過する。また、このときには、一対の磁束通路部３６Ａ，３６Ｂと一対の磁石体７０，７２とが反発することで刺激付与部材２２が着座者Ｐ側に押圧される。従って、着座者Ｐに対して刺激付与部材２２から磁気Ｍ及び押圧力Ｆが付与され、着座者Ｐに対してマッサージ効果が提供される。
【００９７】
一方、図９（Ｂ）に示されるように、Ｓ極３２Ｂが一対の磁束通路部３６Ａ，３６Ｂを跨ぐ位置に回動磁石３２が回動されたときには、Ｎ極３２ＡとＳ極３２Ｂ間の磁束Ｍ０１と、Ｎ極３２ＣとＳ極３２Ｂ間の磁束Ｍ０２が単一の磁束通路部３６Ａ，３６Ｂを通過（つまり、磁束Ｍ０１は磁束通路部３６Ａを通過し、磁束Ｍ０２は磁束通路部３６Ｂを通過）する。従って、シート表面からの磁気Ｍの発生（つまり磁気Ｍの漏洩）が抑制される。また、このときには、一対の磁束通路部３６Ａ，３６Ｂが磁石体７０，７２に吸引される（つまり、磁束Ｍ０１が磁束通路部３６Ａを通過し、磁束Ｍ０２が磁束通路部３６Ｂを通過することで、一対の磁束通路部３６Ａ，３６Ｂは、磁気を帯びていない鉄と同様に磁石体７０，７２に吸引される）ことで刺激付与部材２２から着座者Ｐへの押圧力の付与が抑制される。
【００９８】
このように、本変形例によっても、回動磁石３２の回動位置に応じて着座者Ｐに対して磁気Ｍを付与する状態と磁気Ｍの付与を抑制する状態とに切り替えることができるだけでなく、磁気Ｍを付与する状態と磁気Ｍの付与を抑制する状態とに連動させて着座者Ｐに対して押圧力Ｆを付与する状態と押圧力Ｆの付与を抑制する状態とに切り替えることができる。
【００９９】
また、本変形例によれば、刺激付与部材２２を着座者Ｐ側に押圧するための部材として一対の磁束通路部３６Ａ，３６Ｂを用いれば足りるので、例えば上述の図８に示される変形例のように、四つの磁束通路部３６Ａ〜３６Ｄを用いる場合に比して各刺激付与ユニット１８を小型化することができる。
【０１００】
なお、この変形例においては、図１０に示されるように、一対の磁石体７０，７２を内部に収容し且つ刺激付与部材２２側に開口７６を有する有底筒状の強磁性体により構成された収容部材７８が備えられていても良い。
【０１０１】
また、一対の磁石体７０，７２に対して刺激付与部材２２を接離可能に支持する支持手段としての支持機構８０（例えば、スライドレール機構など）が備えられていても良い。
【０１０２】
この構成によれば、永久磁石からなる磁石体７０，７２が強磁性体からなる収容部材７８に収容されているので、磁石体７０，７２の磁束が収容部材７８内を通過する。これにより、磁石体７０，７２から一対の磁束通路部３６Ａ，３６Ｂへの磁気が増加されて磁石体と一対の磁束通路部３６Ａ，３６Ｂとの反発力を増加させることができると共に、磁石体７０，７２から車両用シート１２の外方への磁気の漏洩を抑制することができる。
【０１０３】
また、この構成によれば、支持機構８０によって刺激付与部材２２を磁石体７０，７２に対して接離可能に支持することができる。
【０１０４】
また、図１１に示される変形例では、刺激付与装置１０がシート表皮材２０としてのシートバックカバー８２を有して構成されて車両用シート１２に別体に設けられている。この構成によれば、車両用シート１２に刺激付与装置１０を後付けすることができる。
【０１０５】
なお、上記複数の変形うち組み合わせ可能な変形例は、適宜組み合わされて実施可能であることは勿論である。
【図面の簡単な説明】
【０１０６】
【図１】本発明の一実施形態に係る刺激付与装置が一体に備えられた車両用シートの斜視図である。
【図２】本発明の一実施形態に係る刺激付与装置が一体に備えられた車両用シートの要部拡大側面断面図である。
【図３】本発明の一実施形態に係る刺激付与装置に備えられた切替機構の構成を示す図である。
【図４】本発明の一実施形態に係る刺激付与装置の変形例を示す図である。
【図５】本発明の一実施形態に係る刺激付与装置の変形例を示す図である。
【図６】本発明の一実施形態に係る刺激付与装置の変形例を示す図である。
【図７】本発明の一実施形態に係る刺激付与装置の変形例を示す図である。
【図８】本発明の一実施形態に係る刺激付与装置の変形例を示す図である。
【図９】本発明の一実施形態に係る刺激付与装置の変形例を示す図である。
【図１０】本発明の一実施形態に係る刺激付与装置の変形例を示す図である。
【図１１】本発明の一実施形態に係る刺激付与装置の変形例を示す図である。
【符号の説明】
【０１０７】
１０  刺激付与装置
１２  車両用シート
１４  シートクッション
１６  シートバック
１８  刺激付与ユニット
２０  シート表皮材
２２  刺激付与部材
２４  第一磁石体（押圧手段の一部）
２６  第二磁石体（押圧手段の一部）
２８  カバー部材
３２  回動磁石
３６Ａ，３６Ｂ  磁束通路部
４０  境界部
４８  切替機構（切替手段）
６０  ヒンジ部材（ヒンジ手段）
６２  突起部
６４  磁石体（押圧手段）
６６  収容部材
７０，７２  磁石体（押圧手段）
７８  収容部材
８０  支持機構（支持手段）
８２  シートバックカバー（シート表皮材）
【図１】
2009248719.tif 000003
【図２】
2009248719.tif 000004
【図３】
2009248719.tif 000005
【図４】
2009248719.tif 000006
【図５】
2009248719.tif 000007
【図６】
2009248719.tif 000008
【図７】
2009248719.tif 000009
【図８】
2009248719.tif 000010
【図９】
2009248719.tif 000011
【図１０】
2009248719.tif 000012
【図１１】
2009248719.tif 000013